(57)【要約】【課題】  構成部品の点数が少なく構造的に簡易で安価に植生浮島を提供することを目的とする。【解決手段】  植物１０等を稙設させて湖沼等水域に浮遊設置される植生浮島５において、発泡樹脂からなる太さ０．１〜５．０ｍｍ程度の多数の連続糸７等を不規則なループ状になして絡め、一体化することにより内部に間隙を持つ所要厚みの網状体１を形成し、植物等を浮かべるのに必要な浮力を有する植生基盤材３を構成する。これにて該植生基盤自体が浮力体として機能する植生浮島となり、従来必要とされ、また奇異に映っていたフロート等を省けるようになり、自然環境に調和しかつ構造的にも簡単でまたコストも低減できるようになる。【選択図】      図４
2005117960.tif 000002
【特許請求の範囲】
【請求項１】
植物等を稙設させて湖沼等水域に浮遊設置される植生浮島において、内部に間隙をもち植物等を浮かべるのに必要な浮力を有する網状体で上記植物を植設するための植生基盤材を構成し、該植生基盤自体を浮力体として機能するようになしたことを特徴とする植生浮島。
【請求項２】
上記植生基盤材は、発泡樹脂からなる太さ０．１〜５．０ｍｍ程度の多数の連続糸が不規則なループをなして、一体化している網状体で構成したことを特徴とする請求項１に記載の植生浮島。
【請求項３】
上記連続糸が、パイプ状の断面を有する合成樹脂から形成されていることを特徴とする請求項１に記載の植生浮島。
【請求項４】
上記網状体を複数枚積層し、それら積層した網状体の外周部等を固定し、厚みのある構造の植生基盤材に形成したことを特徴とする請求項１又は２に記載の植生浮島。
【発明の詳細な説明】
【技術分野】
【０００１】
本発明は、湖沼  河川、ダム等の水域において、生物生息空間の創造、水質浄化、修景といった自然環境の保全や修復をはかる植生浮島に関する。
【背景技術】
【０００２】
従来の植生浮島は、ヤシ繊維や合成繊維等の植生基盤の周辺や内部に浮力体を配置し、その全体をネットで包み込むようなタイプ、例えば、特許文献１や特許文献２等に示される人工浮島が多く見られる。
【０００３】
【特許文献１】特開平６−２８０４０７号公報
【特許文献２】特開平１４−２２３６４９号公報
【０００４】
これらのタイプの人工浮島は比較的安価であるが、構成部品の点数が多く大規模に設置するにはまだ高価なものになっている。これらの課題を解決するために、例えば特許文献３のような植生浮島が提案されている。
【特許文献３】特開平１５−１５８９２６号公報
【発明の開示】
【発明が解決しようとする課題】
【０００５】
上記特許文献３に開示の構造は、植物を支持する平面的若しくは立体的な部材である植物支持材と、植物が植生された植物支持材を浮かべる適当な浮力をもつ、植物支持材の端部に固定されたフロートからなる構造である。そしてこの特許文献３にかかる構造の植生浮島では、浮力体が水面上に露出しているので、外観上、人工的で修景等の観点から好ましくないものになっている。
【０００６】
本発明は、このような事情に鑑みなされたものであり、周辺環境と調和し外観も自然であってかつ安価に達成される植生浮島を提供するものである。
【課題を解決するための手段】
【０００７】
請求項１に記載の植生浮島は、植物等を稙設させて湖沼等水域に浮遊設置される植生浮島において、内部に間隙をもち植物等を浮かべるのに必要な浮力を有する網状体で上記植物を植設するための植生基盤材を構成し、該植生基盤自体を浮力体として機能するようになしたものである。これにより、網状体は植物が植えられる植生基盤材を担い、かつ網状体が内包する空隙にてそれ自体で浮遊する植生浮島になるから、従来浮島にするべく浮力を得るに必要だったフロート等を無くせ、簡易な構造になりまたコストを安価にすることができる。
【０００８】
請求項２では、上記植生基盤材は、発泡樹脂からなる太さ０．１〜５．０ｍｍ程度の多数の連続糸が不規則なループをなして、一体化している網状体で構成したものである。それ自体で浮力を有する植生浮島を、連続糸を適宜にループ状に絡める方法でもって内部に空隙を持たせて形成することができ、格別複雑な製造法を用いることなく頗る簡単に作ることができる。また絡め方の粗密で浮力の調整も可能で、植える植物の量に応じた適切な浮力を有する浮島の実現も容易である。
【０００９】
また請求項３では、上記連続糸が、パイプ状の断面を有する合成樹脂から形成されているものである。発泡樹脂など最初から空隙のある材料からなる糸を用いずとも、中空筒状の糸を絡めて網状体を作っても浮力を有させることができる。
【００１０】
請求項４においては、上記網状体を複数枚積層し、それら積層した網状体の外周部等を固定し、厚みのある構造の植生基盤材に形成したものである。これにより重ねる網状体の数により厚みが様々な植生基盤材を得ることができるので、根が長く伸びる植物、短い根の植物など植える植物に適した、また根の成長に差し障りのない構造の植生浮島を容易に得ることができる。
【発明の効果】
【００１１】
本発明によれば、植生基盤に浮力体としての機能を持たせることにより、従来植生基盤に付帯部品として必要としていた浮力体やネットを省略し、生産コストを抑えることができる。
【００１２】
また浮力体が水面上に露出しないため、外観上人工的な構造物に見え難くなるので、周辺の自然環境になじみ、違和感を呈しなくなる。
【００１３】
また浮力体を廃止したことで、浮力体が植物の根の発育を邪魔することもない。このため、十分に繁茂し自然らしさが漂う浮島となり、野鳥等の休息に好適な場所としても担えるものとなる。
【００１４】
また浮力体等を不要とし部品点数を最小限にすることで、植生浮島の耐久性も向上する。
【００１５】
また植生基盤を積層することにより、厚みの違う植生浮島を形成可能なので、植生浮島を植える植物の根の長短に応じた適切な厚みの構造にすることができる。また積層の数にて植生浮島の浮力を調整することもできるので、設置水域の水流の強さや風波の強さなど気象条件に応じて、水没したりしないよう安定した状態で留め置けるような浮島にすることもできる。
【発明を実施するための最良の形態】
【００１６】
以下、添付図面を参照しながら、本発明を実施するための最良の形態について説明する
【００１７】
１は多数の連続糸を不規則にループ状に絡ませて形成された所要の厚み幅を有する網状体で、内部に緻密な空隙２，２，……２が存在している。該網状体１によって、本発明の主要部となる稙物を植え支持するための植物基盤材３が構成される。網状体１すなわち植物基盤材３が内部に空隙を有するため、それ自体で浮力が有り、水域４に設置すると、自然に浮かぶようになる。図４にその浮遊した状態の植生浮島５が示されている。
【００１８】
上記網状体１は、例えば一辺が１ないし２ｍ程度の大きさのものとすることができる。網状体１の材質としては、ポリエチレンやポリプロピレンのようなオレフィン系の合成樹脂が、軽量で適度の剛性を有していることから適している。
【００１９】
一例を挙げると、発泡倍率３の発泡エチレンを材料とする、図２に示すような空泡６が有り太さ２ｍｍ程度の連続糸７で厚さ１０ｃｍ、空隙率８５％の網状体を構成すると、約１０kg／ｍ２の余剰浮力を有するものとなる。また連続糸として、図２に示すようにパイプ状（中空筒状）８の断面を持つ合成樹脂製の糸９を用いることもできる。
【００２０】
こうして網状体１で構成された植物基盤材３には、図４に示すように植物１０が適当に植え付けられるが、植え付けた植物１０等を浮かべるのに十分なほどの浮力を植物基盤材３自体が有しているので、従来の人工浮島が必要としていたフロート等の浮力体を省略できるようになる。
【００２１】
また上記所要の大きさの網状体１を複数個繋いで、図５等に示すように長方形状の植物基盤材などにして、大きさの違う、またより大きな面積の植生浮島５Ａ，５Ｂに形成することも随意にできる。また網状体１を積層し所要の厚みの植生浮島５にすることもできる。この場合は、厚みの違いによって、根１１が長く成長する植物１０或いは短い根１１の成長で終わる植物１０など、根１１の伸びる長さの違いに応じてその植える植物１０に適した構造の植物基盤材３を形成できる。また厚みを根１１の成長長さに合わせることによって、根１１の成長を邪魔しないで、順調に稙物１０が成育し適度に繁茂したより自然な植生浮島５を実現できるようになる。
【００２２】
なお、実際には植生浮島５の設置は、図４に示すように植生浮島５の両端に係留環１２を通して繋ぎ止めた係留ロープ１３等のロープ両端下端部を水底１５に沈ませたアンカー１５，１５に結び付け、移動したりしないように固定する方法で行われる。  
【００２３】
以上のように、本発明の植生浮島５は、内部に空隙が存在するように合成樹脂製等の連続糸７，８をループ状に絡めて形成したものであるから、それ自体で浮力を有する構造にすることができ、浮かべることができるようになる。そのためフロート等の部品が省け、軽量化することができるると共に、簡単かつ安価に製造することができるようになる。またフロート等を具備しない形態になるので、外観も景観に合った自然的な形態の植生浮島５になり、周囲の自然環境にマッチするようになる。そのゆえ、野鳥等に警戒感を与えず、それらの休息、繁殖場所としても好適なものになる。
【図面の簡単な説明】
【００２４】
【図１】本発明に係る植生浮島を構成する網状体の斜視図である。
【図２】網状体を形成する発泡構造の連続糸の断面図。
【図３】網状体を形成するパイプ状となって他の実施例に係る連続糸の断面図。
【図４】網状体にて所要の厚みに形成した植生基盤材に植物を植え、水域に設置した状態を示す植生浮島の概略図である。
【図５】網状体を複数枚つなぎ、広い大きさの植生基盤材とした植生浮島の概要図である。
【符号の説明】
【００２５】
１        網状体
２        空隙
３        植物基盤材
５        植生浮島
７，９    連続糸
１０      植物
１１      根
１３      係留ロープ
【図１】
2005117960.tif 000003
【図２】
2005117960.tif 000004
【図３】
2005117960.tif 000005
【図４】
2005117960.tif 000006
【図５】
2005117960.tif 000007